(57)【特許請求の範囲】
【請求項１】
音響データ、前記音響データの表示用アイコン画像、及び前記音響データの物理的な音響特徴量及び感性的な音響特徴量を保存する音響データ格納装置と、
前記音響特徴量に基づいて音響空間座標データを生成する音響空間座標データ生成装置と、
前記音響空間座標データを保存する音響空間座標データ保存装置と、
前記音響データ、前記アイコン画像及び前記音響空間座標データに基づいて音響空間を用いて音響データの位置を表示する音響データ表示装置と、
音響空間上の座標を指示する音響空間座標入力装置と、
前記音響データを再生する音響データ再生装置とを含む音響ブラウジング装置であって、
前記物理的な音響特徴量に基づいて、音響データの振幅パターンを描画し、スペクトル分布に応じてその描画位置を上下させ、前記感性的な音響特徴量である感性パラメータに関して、予め感性パラメータごとに配色パターンを決めておいた配色と、感性パラメータとに基づいて、アイコン画像の背景配色を決定することにより、前記音響データ表示装置に表示する前記音響データの表示用アイコン画像を生成するアイコン生成装置をさらに含み、
前記音響データの再生による探索だけでなく、前記アイコン画像によっても、音響データを探索できることを特徴とした音響ブラウジング装置。
【請求項２】
前記音響空間において、前記音響空間座標入力装置で指示された座標と前記音響データの座標位置との距離及び方向を算出する立体音響再生処理装置をさらに含み、
前記立体音響再生処理装置は、前記音響空間座標入力装置で指示された座標との距離が一定のしきい値以下の座標位置にある音響データを選択し、選択された音響データを同時に混合して再生する請求項１記載の音響ブラウジング装置。
【請求項３】
複数の前記音響データについて、前記立体音響再生処理装置が前記音響空間上で近い位置にある前記音響データは大きく、離れた位置にある前記音響データは小さく再生し、かつ方向に応じて音像定位させて再生する請求項２記載の音響ブラウジング装置。
【請求項４】
音響データ、前記音響データの表示用アイコン画像、及び前記音響データの物理的な音響特徴量及び感性的な音響特徴量を保存するステップと、
前記音響特徴量に基づいて音響空間座標データを生成するステップと、
前記音響空間座標データを保存するステップと、
前記音響データ、前記アイコン画像及び前記音響空間座標データに基づいて音響空間を用いて音響データの位置を表示するステップと、
音響空間上の座標を指示するステップと、
前記音響データを再生するステップとを含む音響ブラウジング処理をコンピュータに実行させるプログラムを記録したコンピュータ読み取り可能な記録媒体であって、
前記音響ブラウジング処理は、
前記物理的な音響特徴量に基づいて、音響データの振幅パターンを描画し、スペクトル分布に応じてその描画位置を上下させ、前記感性的な音響特徴量である感性パラメータに関して、予め感性パラメータごとに配色パターンを決めておいた配色と、感性パラメータとに基づいて、アイコン画像の背景配色を決定することにより、表示される前記音響データの表示用アイコン画像を動的に生成するステップをさらに含み、前記音響データの再生による探索だけでなく、前記アイコン画像によっても、音響データを探索できることを特徴とする、コンピュータ読み取り可能な記録媒体。
【請求項５】
前記音響ブラウジング処理は、
前記音響空間において、前記指示された座標と前記音響データの座標位置との距離及び方向を算出するステップをさらに含み、
前記音響データを再生するステップにおいて、前記指示された座標との距離が一定のしきい値以下の座標位置にある音響データを選択し、選択された音響データを同時に混合して再生する、請求項４記載のコンピュータ読み取り可能な記録媒体。
【発明の詳細な説明】
【０００１】
【発明の属する技術分野】
本発明は、表示装置上において、音声や効果音、音楽等の大量の音響データから必要とする音響データを取得するための音響ブラウジング装置及び方法に関する。
【０００２】
【従来の技術】
従来から、多数の音響データの中から、利用者の求める音響データを適切に選択し、聴覚によって確認することができるシステムは存在しており、マルチメディアのコンテンツ制作支援等の分野で活用されている。
【０００３】
しかし、近年の電子化技術の急速な進展によって、かかるシステムで取り扱うべき音響データの量が飛躍的に増大しており、これら膨大な音響データの中から利用者が真に欲する音響データを取捨選択することが困難となってきている。
【０００４】
かかる弊害を克服するべく、音響の空間配置手法を活用して音響探索をすることができる音響ブラウジング装置が考案されている。これは、まず短時間効果音に対してＳＤ（Semantic Differential Method）法に基づく感性語評価実験を実施し、得られた評価値に対して、因子分析による一般的手法及び自己組織化マップを応用した手法によって空間配置を試みているものである。音響探索時には、空間音響再生を導入して、画面に表示されている音響データアイコンを選択してクリックすることで、求める音響データを再生する。
【０００５】
【発明が解決しようとする課題】
しかし、上述した音響ブラウジング装置においては、アイコンによって表示されている音響データがどのような音響データであるかについては、実際に再生してみなければ予想できず、また、利用者の欲している音響データに近づきつつあるのかないのかについての判断材料もない。したがって、利用者が真に欲している音響データに到達するには、かなりの熟練が必要となり、実務上活用することが困難になるおそれがあるという問題点があった。
【０００６】
本発明は、上記問題点を解決すべく、利用者が欲している音響データがどのあたりに保存されているか感覚的に判断することができ、かつ熟練を要することなく、容易に欲する音響データに到達することができる音響ブラウジング装置及び方法を提供することを目的とする。
【０００７】
【課題を解決するための手段】
上記目的を達成するために本発明にかかる音響ブラウジング装置は、音響データ、音響データの表示用アイコン画像、及び音響データの物理的な音響特徴量及び感性的な音響特徴量を保存する音響データ格納装置と、音響特徴量に基づいて音響空間座標データを生成する音響空間座標データ生成装置と、音響空間座標データを保存する音響空間座標データ保存装置と、音響データ、アイコン画像及び音響空間座標データに基づいて音響空間を用いて音響データの位置を表示する音響データ表示装置と、音響空間上の座標を指示する音響空間座標入力装置と、音響データを再生する音響データ再生装置とを含む音響ブラウジング装置であって、物理的な音響特徴量及び感性的な音響特徴量に基づいて、音響データ表示装置に表示する音響データの表示用アイコン画像を生成するアイコン生成装置をさらに含み、音響データの再生による探索だけでなく、アイコン画像によっても、音響データを探索できることを特徴とする。
【０００８】
かかる構成により、大量の音響データについて立体的に空間表示することで、音響データ相互間の位置等を確認しながら求めるべき音響データを探索することが可能となる。また、音響データの特徴量に即したアイコン表示とすることで、再生することなく求めるべき音響データを探索することも可能となる。
【０００９】
また、本発明にかかる音響ブラウジング装置は、音響空間において、音響空間座標入力装置で指示された座標と音響データの座標位置との距離及び方向を算出する立体音響再生処理装置をさらに含み、立体音響再生処理装置は、音響空間座標入力装置で指示された座標と音響データの座標位置との距離が一定のしきい値以下の場合には、該当する複数の音響データを同時に混合して再生することが好ましい。音響データを表示するアイコンを選択することなく再生することができるため、求めるべき音響データへ視覚的に近づくことができるからである。
【００１０】
また、本発明にかかる音響ブラウジング装置は、複数の音響データについて、立体音響再生処理装置が音響空間上で近い位置にある音響データは大きく、離れた位置にある音響データは小さく再生し、かつ方向に応じて音像定位させて再生することが好ましい。音響空間上でのポインタ移動によって、動的に音響データを探索するためである。
【００１１】
また、本発明は、上記のような音響ブラウジング装置の機能をコンピュータの処理ステップとして実行するソフトウェアを特徴とするものであり、具体的には、音響データ、音響データの表示用アイコン画像、及び音響データの物理的な音響特徴量及び感性的な音響特徴量を保存する工程と、音響特徴量に基づいて音響空間座標データを生成する工程と、音響空間座標データを保存する工程と、音響データ、アイコン画像及び音響空間座標データに基づいて音響空間を用いて音響データの位置を表示する工程と、音響空間上の座標を指示する工程と、音響データを再生する工程とを含む音響ブラウジング方法であって、物理的な音響特徴量及び感性的な音響特徴量に基づいて、表示される音響データの表示用アイコン画像を生成する工程をさらに含み、音響データの再生による探索だけでなく、アイコン画像によっても、音響データを探索できる音響ブラウジング方法並びにそのような工程をプログラムとして記録したコンピュータ読み取り可能な記録媒体であることを特徴とする。
【００１２】
かかる構成により、コンピュータ上へ当該プログラムをロードさせ実行することで、大量の音響データについて立体的に空間表示することで、音響データ相互間の位置等を確認しながら求めるべき音響データを探索することができ、かつ、音響データの特徴量に即したアイコン表示とすることで、再生することなく求めるべき音響データを探索することもできる音響ブラウジング装置を実現することが可能となる。
【００１３】
【発明の実施の形態】
以下、本発明の実施の形態にかかる音響ブラウジング装置について、図面を参照しながら説明する。図１は本発明の実施の形態にかかる音響ブラウジング装置の構成図である。図１において、１１は音響データ格納部を、１２は音響空間座標データ生成部を、１３は音響空間座標データ格納部を、１４はアイコン画像生成部を、１５は音響データ表示部を、１６は音響空間座標入力部を、１７は立体音響再生処理部を、１８は音響データ再生部を、それぞれ示す。
【００１４】
図１において、音響データ格納部１１には、音響データ自体と、当該音響データを画面に表示する際に使用するアイコン画像、及び当該音響データについての音響特徴量を一組として格納する。
【００１５】
音響特徴量とは、音響データに関する周波数やスペクトル等の物理的な特徴量だけではなく、人が音を聞いて感じる感性的な特徴量、例えば「快い」、「迫力のある」、「かん高い」等の程度を示す特徴量も意味する。
【００１６】
音響特徴量に基づいて、音響空間座標データ生成部１２において、画面に表示すべき音響空間における当該音響データの座標データを生成する。すなわち、音響空間において当該音響データがどの位置に表示されるべきかを算出する。
【００１７】
具体的には、まず音響空間自体を作成しなければならない。音響空間を作成するためには、複数の評価語を用いて評価尺度を構成する。例えば、感性語である「大きい」、「美しい」、「澄んだ」等の評価語を用いて、様々な音響についてどの程度の寄与率を有するのかを評価する。ここで寄与率とは、相関行列から得られる固有値の総和に対する各固有値の比率を意味し、寄与率の評価自体は評価者自身の感性に基づいて評価される。したがって、寄与率が高いほど、当該評価語に近い感性を有する音響であると判断できる。
【００１８】
ただ、このままでは、評価語の数が多いとそれだけ評価次元が高次となるので、表示を簡単にするために分析するための因子となりうる感性量を決定して、各評価語ごとの因子分析を行う。したがって、ｎ個の評価語を用いた音響データを数個の因子で構成される空間上に写像させることが可能となる。
【００１９】
次に、各評価語についての因子分析を行って、因子ごとの負荷量を算出することで、各因子を軸とした音響空間上のどの位置に当該音響データが位置するのか求めることができる。本実施の形態においては、因子を３つとしていることから、三次元空間座標に表示することが可能となる。
【００２０】
例えば、第１因子軸を右方向、第２因子軸を上方向、第３因子軸を前方向とする右手基準系での配置を考えると、因子軸の座標値を手がかりとして評価対象となる音響データを探索することが可能となる。
【００２１】
なお、ここでは因子分析を用いた音響空間作成について説明したが、特にこれに限定されるものではなく、例えば二次元空間として音響データ分布を表示しておき、音響データの作成日付等のナビゲーション軸を一つ加えることで擬似的に三次元空間を生成する方法でも良い。
【００２２】
そして、音響空間座標データ生成部１２で生成された音響空間座標データは、画面に表示するべく音響空間座標データ格納部１３に格納され、音響データを画面に表示する際に参照される。また、音響データの再生時においても、再生すべき音響データの選定及び再生音量の大小を決定する際に参照される。なお、本実施の形態においては音響空間座標データと音響データを別々に格納しているが、別々に格納せずに同一のデータベースに格納しても良い。
【００２３】
次に、画面に表示すべきアイコン画像は、音響特徴量に基づいてアイコン画像生成部１４において自動生成される。具体的には、物理的な特徴量及び感性的な特徴量が、アイコン画像によって感覚的に把握できるようなアイコン表示とする。
【００２４】
本実施の形態においては、３×３の正方形を基調としたアイコン画像の生成を示している。まず感性的な特徴量に基づいてアイコン画像の背景配色を決定する。すなわち、表示対象となる音響データを表す主要な感性パラメータを３つ選択し、かかる感性パラメータについて、評価者の感性に基づき、音の特性をイメージできる色を用いて、３色の配色パターンを決定する。そして、配色パターンの順序を変更することなく３段階に表示する。
【００２５】
例えば、ある音響データについて、代表する感性パラメータが「かん高い」、「迫力のある」、「やかましい」の３つであったとすると、各々の感性パラメータについて３色の配色パターンを決定する。例えば、「かん高い」という感性パラメータについては「青」、「黄」、「赤紫」、「迫力のある」という感性パラメータについては「赤」、「金」、「深緑」、「かん高い」という感性パラメータについては「赤」、「黄」、「緑」というように一義的に配色を決定する。
【００２６】
次に、物理的な特徴量に基づいて、音響データの振幅パターンを描画し、スペクトル分布に応じてその描画位置を上下させて表示する。例えば、ある音響データについて、その振幅パターンは「なめらかな減衰」パターンであり、そのスペクトル分布は中域である場合には、図２のような表示となる。これに感性的な特徴量に基づいて決定された背景の配色パターンを重ね合わせることで、図３のような表示アイコンが完成する。
【００２７】
かかる表示アイコンとすることで、以下のメリットを享受することができる。すなわち、まず代表される感性パラメータが類似している音響データについては、音響空間上近い位置に配置されることになり、感性が近似している音響データを連続して検索することが可能となる。また、アイコンの背景色から実際に音響データを再生しなくても音響データの特徴が類推できることから、求めるべき音響データが音響空間上どの当たりの位置に存在するのか見当をつけやすい。
【００２８】
なお、アイコン画像生成部１４で生成された表示用アイコン画像は音響データ格納部１１において当該音響データを表示するアイコン画像として格納される。
【００２９】
音響データ、アイコン画像、音響空間座標データの３つが整えば、当該音響データを音響データ表示部１５において表示することができる。音響データ表示部では、例えば図４に示すような音響空間上にアイコン画像生成部１４において生成したアイコンを表示することで、音響データの存在する位置を確認することができるとともに、音響データを探索することができる。なお、図４においては新たに生成されたアイコンを用いて表示されていないが、実際には図４で楕円形状に表示されているアイコンが図３のようなアイコンに置換されて表示される。
【００３０】
利用者が音響データを再生する場合には、従来は表示されている音響データのアイコンを選択して、一つ一つ再生していく必要があった。本実施の形態においては、まず利用者は音響空間座標入力部１６から音響空間座標を指定する。入力にはキーボード等の入力媒体による数値入力でも良いが、一般にはマウス等の入力媒体によるポインタ入力が主流である。
【００３１】
音響空間座標入力部１６から音響空間座標が入力されたら、立体音響再生処理部１７において、入力された空間座標と音響データの有する音響空間座標とを対比して、入力された空間座標と一定のしきい値以下の距離にある音響データを再生し、かつその距離の大小に応じて再生音量を上下させる。
【００３２】
そして、音響データ再生部１８において、入力された音響空間座標に応じた音響データを再生することが可能となる。この場合、マウス等を連続的に移動させれば、再生すべき音響データも連続して変化する。すなわち、再生される音響データの音量が変化したり、同時に再生される音響データが増減したり、あるいは再生される音響データが変更される。
【００３３】
なお、再生された合成音を新たな音響データとして音響データ格納部１１へ保存することも可能である。この場合、利用者が選択して保存することもできるし、自動的に保存することもできる。
【００３４】
次に、本発明の実施例にかかる音響ブラウジング装置について、図面を参照しながら説明する。図５に本発明の実施例にかかる音響ブラウジング装置の構成図を示す。図５において、５１は音響データ格納装置を、５２は音響空間座標データ生成装置を、５３は音響空間座標データ格納装置を、５４はアイコン生成装置を、５５はＣＲＴを、５６は入力装置を、５７は立体音響再生装置を、５８は音響再生装置を、それぞれ示す。
【００３５】
図５は、基本的に図１と同様の構成であるが、入力装置５６にはキーボードやマウス等の入力媒体を、音響再生装置５８にはサウンドボードを経由したスピーカやヘッドホンを用いている。入力装置５６によって、ＣＲＴ５５に表示されている音響空間の視点移動操作を行うことができ、リアルタイムで音響空間表示を変化させることができる。
【００３６】
図５において、音響データ格納装置５１には、音響データ自体と、当該音響データを画面に表示する際に使用するアイコン画像、及び当該音響データについての音響特徴量を一組として格納する。
【００３７】
音響特徴量に基づいて、音響空間座標データ生成装置５２において、画面に表示すべき音響空間における当該音響データの座標データを生成する。すなわち、音響空間において当該音響データがどの位置に表示されるべきかを算出する。
【００３８】
本実施例においては、音響空間を作成するべく、感性語である「大きい」、「美しい」、「澄んだ」等の評価語を用いて、因子分析によって因子負荷量を求めている。音響空間の軸となるべき第１、第２、第３の因子をなるべく少数の評価変数によって説明できるように、換言すれば少数の評価変数がなるべく３つの因子軸に重なるようにバリマックス回転を行う。本実施例における評価値に対する因子分析の結果として、元々の因子負荷量とバリマックス回転後の因子負荷量を（表１）に示す。
【００３９】
【表１】
0003739967.tif 000002
【００４０】
このように因子分析を行った上で、第１因子軸を右方向、第２因子軸を上方向、第３因子軸を前方向とする右手基準系での配置を考えると、因子軸の座標値を手がかりとして評価対象となる音響データを探索することが可能となる。
【００４１】
そして、音響空間座標データ生成装置５２で生成された音響空間座標データは、画面に表示するべく音響空間座標データ格納装置５３に格納され、音響データを画面に表示する際に参照される。また、音響データの再生時においても、再生すべき音響データの選定及び再生音量の大小を決定する際に参照される。
【００４２】
次に、画面に表示すべきアイコン画像は、音響特徴量に基づいてアイコン生成装置５４において自動生成される。具体的には、物理的な特徴量及び感性的な特徴量が、アイコン画像によって感覚的に把握できるようなアイコン表示とする。
【００４３】
本実施例においても、３×３の正方形を基調としたアイコン画像を生成し、各音響データごとに図３に示すようなアイコン画像を一義的に生成する。
【００４４】
かかる表示アイコンとすることで、代表される感性パラメータが類似している音響データについては、音響空間上近い位置に配置されることになり、感性が一致している音響データを連続して検索することが可能となる。また、アイコンの背景色から実際に音響データを再生しなくても音響データの特徴が類推できることから、求めるべき音響データが音響空間上どの当たりの位置に存在するのか見当をつけやすい。
【００４５】
なお、アイコン生成装置５４で生成された表示用アイコン画像は音響データ格納装置５１において当該音響データを音響空間上で表示する際に使用するアイコン画像として格納される。
【００４６】
音響データ、アイコン画像、音響空間座標データの３つが整えば、当該音響データをＣＲＴ５５において表示することができる。ＣＲＴ５５では、例えば図４に示すような音響空間上にアイコン生成装置５４において生成したアイコン画像を用いて表示することで、音響データの存在する位置を確認することができるとともに、音響データを探索することができる。なお、図４においては新たに生成されたアイコンを用いて表示されていないが、実際には図４で楕円形状に表示されているアイコンが図３のようなアイコンに置換されて表示される。
【００４７】
利用者は、まず入力装置５６から再生したい音響空間座標を指定する。入力にはキーボード等の入力媒体による数値入力でも良いが、一般にはマウス等の入力媒体によるポインタ入力が主流である。
【００４８】
入力装置５６から音響空間座標が入力されたら、立体音響再生処理装置５７において、入力された空間座標と音響データの有する音響空間座標とを対比して、入力された空間座標と一定のしきい値以下の距離にある音響データを再生し、かつその距離の大小に応じて再生音量を上下させる。
【００４９】
そして、音響データ再生装置５８において、入力された音響空間座標に応じた音響データを再生することが可能となる。具体的には、サウンドボード等が設置されており、接続されたスピーカやヘッドホンを通じて再生された音響データを聞くことができる。なお、マウス等を連続的に移動させれば、再生すべき音響データも連続して変化する。すなわち、再生される音響データの音量が変化したり、同時に再生される音響データが増減したり、あるいは再生される音響データが変更される。
【００５０】
以上のように本実施の形態によれば、大量の音響データについて立体的に空間表示することで、音響データ相互間の位置等を確認しながら求めるべき音響データを探索することが可能となる。また、音響データの特徴量に即したアイコン表示とすることで、再生することなく求めるべき音響データを探索することも可能となる。
【００５１】
本実施の形態にかかる音響ブラウジング装置は応用範囲が広範であり、様々な分野においてその適用実施例が考えられる。主たる適用例としては以下の実施例が考えられる。
【００５２】
まず、音響データの編集ツールとしての使用が考えられる。これは、数値化が困難である人間の感性を音響データ編集において反映させるものであり、編集対象となる音響データに対して、各々の因子軸の値をスライダ操作やマウスによる操作等によって変化させながら、利用者の感性に合致した音響データへと編集していくことが可能となる。
【００５３】
また、音響データを混合して新たな音響素材を生成する用途に用いることもできる。これは、特定の音響データを他の音響データと重ね合わせることによって、音響データをなめらかに変化させながら再生することを可能とする。
【００５４】
さらに、音響空間の設計支援ツールとして活用することも可能である。例えば、ホールや演奏会場の設計において、音響の吸収素材や反射素材の使用比率や使用位置によって、音響データがどのように変化して聞こえるのか容易にシミュレーションを行うことが期待できる。
【００５５】
次に、本発明の実施の形態にかかる音響ブラウジング装置を実現するプログラムの処理の流れについて説明する。図６に本発明の実施の形態にかかる音響ブラウジング装置を実現するプログラムの処理の流れ図を示す。
【００５６】
図６において、まず音響空間を生成するべく、既存の各音響データについて、その感性的又は物理的な音響特徴量を確定する（ステップＳ６０１）。そして、音響空間座標データを生成・保存すると共に（ステップＳ６０２）、音響特徴量に基づいた表示用のアイコン画像を生成する（ステップＳ６０３）。そして、画面上に音響空間を表示すると共に、各音響データについてもアイコン画像によってその位置を表示する（ステップＳ６０４）。
【００５７】
次に、音響空間座標をマウス等から入力する（ステップＳ６０５）。入力した音響空間座標の近傍に音響データが存在する場合には（ステップＳ６０６：Ｙｅｓ）該当する音響データが複数個存在するか否か判断する（ステップＳ６０７）。
【００５８】
該当する音響データが複数個存在する場合には（ステップＳ６０７：Ｙｅｓ）、再生すべき音響データを特定すると共に、入力座標と該当する音響データとの距離と方向に応じた再生音量と定位を確定する（ステップＳ６０８）。そして、音響データをスピーカ等を通じて再生する（ステップＳ６０９）。
【００５９】
本発明の実施の形態にかかる音響ブラウジング装置を実現するプログラムを記憶した記録媒体は、図７に示す記録媒体の例に示すように、ＣＤ−ＲＯＭ７２−１やフロッピーディスク７２−２等の可搬型記録媒体７２だけでなく、通信回線の先に備えられた他の記憶装置７１や、コンピュータ７３のハードディスクやＲＡＭ等の記録媒体７４のいずれでも良く、プログラム実行時には、プログラムはローディングされ、主メモリ上で実行される。
【００６０】
また、本発明の実施の形態にかかる音響ブラウジング装置により生成された音響データの空間座標等を記録した記録媒体も、図７に示す記録媒体の例に示すように、ＣＤ−ＲＯＭ７２−１やフロッピーディスク７２−２等の可搬型記録媒体７２だけでなく、通信回線の先に備えられた他の記憶装置７１や、コンピュータ７３のハードディスクやＲＡＭ等の記録媒体７４のいずれでも良く、例えば本発明にかかる音響ブラウジング装置を利用する際にコンピュータ７３により読み取られる。
【００６１】
【発明の効果】
以上のように本発明にかかる音響ブラウジング装置によれば、大量の音響データについて立体的に空間表示することで、音響データ相互間の位置等を確認しながら求めるべき音響データを探索することが可能となる。また、音響データの特徴量に即したアイコン表示とすることで、再生することなく求めるべき音響データを探索することも可能となる。
【図面の簡単な説明】
【図１】  本発明の実施の形態にかかる音響ブラウジング装置の構成図
【図２】  本発明の実施の形態にかかる音響ブラウジング装置における表示アイコンの説明図
【図３】  本発明の実施の形態にかかる音響ブラウジング装置における表示アイコンの説明図
【図４】  本発明の実施の形態にかかる音響ブラウジング装置における音響空間表示の例示図
【図５】  本発明の実施例にかかる音響ブラウジング装置の構成図
【図６】  本発明の実施の形態にかかる音響ブラウジング装置における処理の流れ図
【図７】  記録媒体の例示図
【符号の説明】
１１  音響データ格納部
１２  音響空間座標データ生成部
１３  音響空間座標データ格納部
１４  アイコン画像生成部
１５  音響データ表示部
１６  音響空間座標入力部
１７  立体音響再生処理部
１８  音響データ再生部
５１  音響データ格納装置
５２  音響空間座標データ生成装置
５３  音響空間座標データ格納装置
５４  アイコン生成装置
５５  ＣＲＴ
５６  入力装置
５７  立体音響処理装置
５８  音響再生装置
７１  回線先の記憶装置
７２  ＣＤ−ＲＯＭやフロッピーディスク等の可搬型記録媒体
７２−１  ＣＤ−ＲＯＭ
７２−２  フロッピーディスク
７３  コンピュータ
７４  コンピュータ上のＲＡＭ／ハードディスク等の記録媒体
【図１】
0003739967.tif 000003
【図２】
0003739967.tif 000004
【図３】
0003739967.tif 000005
【図４】
0003739967.tif 000006
【図５】
0003739967.tif 000007
【図６】
0003739967.tif 000008
【図７】
0003739967.tif 000009